(57)【要約】【課題】  １つの画像を表示するための表示面積の大型化及び装置サイズの小型化を両立することのできる画像表示装置及び撮影装置を得る。【解決手段】  ＬＣＤ（液晶ディスプレイ）３８Ａ及びＬＣＤ３８Ｂの各々の表示面が同一の方向を向き、かつ露出される第１状態（（Ｃ）及び（Ｄ）に示される状態）と、ＬＣＤ３８Ａ及びＬＣＤ３８Ｂの各々の表示面が平行に重ね合わされる第２状態（（Ａ）及び（Ｂ）に示される状態）の何れか一方の状態に切り換え可能とし、前記第１状態に切り換えられているときで画像を表示するときには、１つの画像が露出されている表示面（ＬＣＤ３８Ａ及びＬＣＤ３８Ｂの各々の表示面）に跨って表示されるように当該画像を拡大して表示するように制御する。【選択図】        図１
2007079157.tif 000002
【特許請求の範囲】
【請求項１】
複数の表示手段と、
各々前記複数の表示手段の何れか１つが配設された複数の筐体と、
前記複数の表示手段の少なくとも２つの表示面が同一の方向を向き、かつ露出される第１状態と前記複数の表示手段の各々の表示面が平行に重ね合わされる第２状態の何れか一方の状態に切り換える切換手段と、
前記切換手段によって前記第１状態に切り換えられているときで画像を表示するとき、１つの画像が露出されている表示面の複数に跨って表示されるように当該画像を拡大して表示するように制御する表示制御手段と、
を備えた画像表示装置。
【請求項２】
前記切換手段を、隣接する前記筐体の端部間に介在されたヒンジにより構成した
請求項１記載の画像表示装置。
【請求項３】
前記切換手段による切り換え状態に応じて動作モードを切り換える動作切換手段
を更に備えた請求項１又は請求項２記載の画像表示装置。
【請求項４】
前記表示制御手段は、前記切換手段によって前記第２状態に切り換えられているときで、かつ前記複数の表示手段の少なくとも１つの表示面が露出されているとき、露出されている表示面の１つのみにより画像を表示するように制御する
請求項１乃至請求項３の何れか１項記載の画像表示装置。
【請求項５】
前記表示制御手段は、前記切換手段によって前記第２状態に切り換えられているときで、かつ前記複数の表示手段における少なくとも２つの表示面が互いに反対方向を向くように露出されているとき、当該露出されている表示面により同一の画像を表示するように制御する
請求項１乃至請求項３の何れか１項記載の画像表示装置。
【請求項６】
請求項１乃至請求項５の何れか１項記載の画像表示装置と、
前記画像表示装置に備えられた複数の表示手段により表示する画像を示す画像データを撮像によって取得する撮像手段と、
を備えた撮影装置。
【発明の詳細な説明】
【技術分野】
【０００１】
本発明は、画像表示装置及び撮影装置に係り、特に、複数の表示手段を備えた画像表示装置及び撮影装置に関する。
【背景技術】
【０００２】
近年、ＣＣＤ（Charge Coupled Device）エリアセンサ、ＣＭＯＳ（Complementary Metal Oxide Semiconductor）イメージ・センサ等の撮像素子の高解像度化に伴い、デジタルカメラ、携帯電話機、ＰＤＡ（Personal Digital Assistant，携帯情報端末）等の撮影機能を有する携帯型の情報機器の需要が急増している。そして、この種の情報機器には、撮影された画像やメニュー画面、文字情報等を表示するための液晶ディスプレイ等の表示装置を備えているものが多い。
【０００３】
その一方で、この種の情報機器では多機能化が進んでおり、上記表示装置による表示内容も多岐に亘るため、同時に表示したい情報も以前に比べて多くなってきている。
【０００４】
しかしながら、携帯型の情報機器では、その携帯性を維持するために表示装置による表示面積を大きくするには限界があり、当該表示面積が必ずしも十分とは限らなかった。
【０００５】
この問題を解決するために適用できる従来の技術として、特許文献１には、操作性を損なうことなく情報量の多いデータやメッセージ等を大きな画面のディスプレイに表示することのできる携帯電話機を提供することを目的として、筐体の表面に少なくともディスプレイと複数個の操作ボタンが配置された携帯電話機において、筐体のディスプレイを遮蔽し、或いは露出させる蓋体を筐体に開閉自在に付設し、蓋体の表面及び裏面にそれぞれディスプレイを設けた技術が開示されている。この技術によれば、蓋体を筐体のディスプレイを露出させた状態（以下、「開状態」という。）とした際に、筐体に設けられたディスプレイと、蓋体の裏面に設けられたディスプレイとを同時に参照することが可能となるため、この際の全体としての表示面積を広くすることができる。
【特許文献１】特開２００３−８７１４公報
【発明の開示】
【発明が解決しようとする課題】
【０００６】
ところで、前述したような撮影機能を有する携帯型の情報機器では、撮影によって得られた画像を搭載されている表示装置によって出来る限り大きく表示したい、という要望が多い。
【０００７】
しかしながら、上記特許文献１に開示されている技術では、蓋体を開状態として撮影画像等の画像を表示する際には、当該画像を筐体に設けられたディスプレイと蓋体の裏面に設けられたディスプレイの何れか一方のみに表示するものとされているため、１つの画像を表示するための表示面積を大きくすることができない、という問題点があった。
【０００８】
本発明は上記問題点を解決するためになされたものであり、１つの画像を表示するための表示面積の大型化及び装置サイズの小型化を両立することのできる画像表示装置及び撮影装置を提供することを目的とする。
【課題を解決するための手段】
【０００９】
上記目的を達成するために、本発明の画像表示装置は、複数の表示手段と、各々前記複数の表示手段の何れか１つが配設された複数の筐体と、前記複数の表示手段の少なくとも２つの表示面が同一の方向を向き、かつ露出される第１状態と前記複数の表示手段の各々の表示面が平行に重ね合わされる第２状態の何れか一方の状態に切り換える切換手段と、前記切換手段によって前記第１状態に切り換えられているときで画像を表示するとき、１つの画像が露出されている表示面の複数に跨って表示されるように当該画像を拡大して表示するように制御する表示制御手段と、を備えている。
【００１０】
本発明の画像表示装置には、複数の表示手段が各々筐体に配設された状態で設けられており、切換手段により、前記複数の表示手段の少なくとも２つの表示面が同一の方向を向き、かつ露出される第１状態と前記複数の表示手段の各々の表示面が平行に重ね合わされる第２状態の何れか一方の状態に切り換えられる。なお、上記表示手段には、液晶ディスプレイ、プラズマディスプレイ、有機ＥＬディスプレイ、ＣＲＴディスプレイ等の各種ディスプレイが含まれる。
【００１１】
ここで、本発明では、前記切換手段によって前記第１状態に切り換えられているときで画像を表示するとき、表示制御手段により、１つの画像が露出されている表示面の複数に跨って表示されるように当該画像を拡大して表示するように制御される。
【００１２】
このように、本発明の画像表示装置によれば、複数の表示手段の少なくとも２つの表示面が同一の方向を向き、かつ露出される第１状態と前記複数の表示手段の各々の表示面が平行に重ね合わされる第２状態の何れか一方の状態に切り換え可能とし、前記第１状態に切り換えられているときで画像を表示するときには、１つの画像が露出されている表示面の複数に跨って表示されるように当該画像を拡大して表示するように制御しているので、１つの画像を表示するための表示面積の大型化及び装置サイズの小型化を両立することができる。
【００１３】
なお、本発明は、前記切換手段を、隣接する前記筐体の端部間に介在されたヒンジにより構成するものとしてもよい。
【００１４】
また、本発明は、前記切換手段による切り換え状態に応じて動作モードを切り換える動作切換手段を更に備えてもよい。
【００１５】
また、本発明の前記表示制御手段は、前記切換手段によって前記第２状態に切り換えられているときで、かつ前記複数の表示手段の少なくとも１つの表示面が露出されているとき、露出されている表示面の１つのみにより画像を表示するように制御するものとしてもよい。
【００１６】
更に、本発明の前記表示制御手段は、前記切換手段によって前記第２状態に切り換えられているときで、かつ前記複数の表示手段における少なくとも２つの表示面が互いに反対方向を向くように露出されているとき、当該露出されている表示面により同一の画像を表示するように制御するものとしてもよい。
【００１７】
一方、上記目的を達成するために、本発明の撮影装置は、本発明の画像表示装置と、前記画像表示装置に備えられた複数の表示手段により表示する画像を示す画像データを撮像によって取得する撮像手段と、を備えている。
【００１８】
従って、本発明の撮影装置は、本発明の画像表示装置と同様に作用するので、当該画像表示装置と同様に、１つの画像を表示するための表示面積の大型化及び装置サイズの小型化を両立することができる。なお、上記撮像手段には、ＣＣＤエリアセンサ、ＣＭＯＳイメージ・センサ等の固体撮像素子が含まれる。
【発明の効果】
【００１９】
本発明によれば、複数の表示手段の少なくとも２つの表示面が同一の方向を向き、かつ露出される第１状態と前記複数の表示手段の各々の表示面が平行に重ね合わされる第２状態の何れか一方の状態に切り換え可能とし、前記第１状態に切り換えられているときで画像を表示するときには、１つの画像が露出されている表示面の複数に跨って表示されるように当該画像を拡大して表示するように制御しているので、１つの画像を表示するための表示面積の大型化及び装置サイズの小型化を両立することができる、という効果が得られる。
【発明を実施するための最良の形態】
【００２０】
以下、図面を参照して、本発明の実施の形態について詳細に説明する。なお、ここでは、本発明を、静止画像の撮影を行うデジタル電子スチルカメラ（以下、「デジタルカメラ」という。）に適用した場合について説明する。
【００２１】
［第１の実施の形態］
まず、図１を参照して、本実施の形態に係るデジタルカメラ１０の外観上の構成を説明する。
【００２２】
図１（Ａ）及び図１（Ｂ）に示すように、本実施の形態に係るデジタルカメラ１０は、２つの液晶ディスプレイ（以下、「ＬＣＤ」という。）３８Ａ及び３８Ｂが備えられている。ＬＣＤ３８Ａは第１筐体６０の表面に配設されており、ＬＣＤ３８Ｂは第２筐体６２の表面に配設されている。なお、本実施の形態に係るデジタルカメラ１０では、ＬＣＤ３８Ａ及びＬＣＤ３８Ｂとして、各々の表示面における表示領域のアスペクト比が４：３とされたものを適用している。
【００２３】
ここで、第１筐体６０と第２筐体６２の端部間にはヒンジ６４が介在されており、第１筐体６０と第２筐体６２は、ヒンジ６４の軸心Ｃを回転中心として、第１筐体６０と第２筐体６２の裏面同士が対向する状態（図１（Ａ）、図１（Ｂ）に示される状態であり、以下では「閉状態」という。）と、第１筐体６０と第２筐体６２がヒンジ６４の軸心Ｃを中心として平面状に並ぶ状態（図１（Ｃ）、図１（Ｄ）に示される状態であり、以下では「開状態」という。）との２つの状態の間で回動可能とされている。なお、本実施の形態に係るデジタルカメラ１０では、第１筐体６０及び第２筐体６２が開状態とされている際にＬＣＤ３８Ａ及びＬＣＤ３８Ｂの互いに隣接する端辺が極力近接されるように、ＬＣＤ３８Ａ及びＬＣＤ３８Ｂが、各々が配設される筐体のヒンジ６４取り付け側端部に接近させた状態で各筐体に配設されている。
【００２４】
一方、デジタルカメラ１０の正面には被写体像を結像させるためのレンズ２１が設けられており、デジタルカメラ１０の上面には撮影を実行する際に押圧操作されるレリーズスイッチ（所謂シャッター）５６Ａが設けられている。
【００２５】
なお、本実施の形態に係るデジタルカメラ１０のレリーズスイッチ５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００２６】
そして、デジタルカメラ１０では、レリーズスイッチ５６Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００２７】
一方、図１（Ｄ）に示すように、デジタルカメラ１０の第１筐体６０の閉状態時に第２筐体６２と当接する面（裏面）のヒンジ６４の近傍には、閉状態となっているときにオン状態となり、他の状態となっているときにオフ状態となるスイッチ（ここでは、マイクロ・スイッチ）により構成された開閉検知部４４が設けられている。
【００２８】
なお、デジタルカメラ１０には、撮影を行うモードである撮影モード及び被写体像をＬＣＤに再生表示するモードである再生モードの何れかのモードに設定する際に操作されるモード切換スイッチ、メニュー画面を表示させるときに押圧操作されるメニュースイッチ、電源スイッチ等の各種スイッチ類や、撮影時に必要に応じて被写体に照射する光を発するストロボ、撮影する被写体の構図を決定するために用いられるファインダ等のデジタルカメラが備えているべき基本的なものが設けられているが、本発明に直接関係するものではないため、ここでの図示及び詳細な説明は省略する。
【００２９】
次に、図２を参照して、本実施の形態に係るデジタルカメラ１０の電気系の要部構成を説明する。
【００３０】
デジタルカメラ１０は、前述のレンズ２１を含んで構成された光学ユニット２２と、レンズ２１の光軸後方に配設された電荷結合素子（以下、「ＣＣＤ」という。）２４と、入力されたアナログ信号に対して各種のアナログ信号処理を行うアナログ信号処理部２６と、を含んで構成されている。
【００３１】
また、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００３２】
なお、デジタル信号処理部３０は、所定容量のラインバッファを内蔵し、入力されたデジタルデータを後述するメモリ４８の所定領域に直接記憶させる制御も行う。
【００３３】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００３４】
一方、デジタルカメラ１０は、被写体像やメニュー画面等をＬＣＤ３８Ａ及びＬＣＤ３８Ｂに表示させるための信号を生成してＬＣＤ３８Ａ及びＬＣＤ３８Ｂに供給するＬＣＤインタフェース３６と、デジタルカメラ１０全体の動作を司るＣＰＵ（中央処理装置）４０と、撮影により得られたデジタル画像データ等を一時的に記憶するメモリ４８と、メモリ４８に対するアクセスの制御を行うメモリインタフェース４６と、を含んで構成されている。
【００３５】
更に、デジタルカメラ１０は、可搬型のメモリカード５２をデジタルカメラ１０でアクセス可能とするための外部メモリインタフェース５０と、デジタル画像データに対する圧縮処理及び伸張処理を行う圧縮・伸張処理回路５４と、を含んで構成されている。
【００３６】
なお、本実施の形態のデジタルカメラ１０では、メモリ４８としてフラッシュ・メモリ（Flash Memory）が用いられ、メモリカード５２としてスマートメディア（Smart Media（登録商標））が用いられている。
【００３７】
デジタル信号処理部３０、ＬＣＤインタフェース３６、ＣＰＵ４０、メモリインタフェース４６、外部メモリインタフェース５０及び圧縮・伸張処理回路５４はシステムバスＢＵＳを介して相互に接続されている。従って、ＣＰＵ４０は、デジタル信号処理部３０及び圧縮・伸張処理回路５４の作動の制御、ＬＣＤ３８Ａ及びＬＣＤ３８Ｂに対するＬＣＤインタフェース３６を介した各種情報の表示、メモリ４８及びメモリカード５２へのメモリインタフェース４６ないし外部メモリインタフェース５０を介したアクセスを各々行うことができる。
【００３８】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００３９】
更に、デジタルカメラ１０にはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。
【００４０】
すなわち、本実施の形態に係るレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、これらのモータは各々ＣＰＵ４０の制御によりモータ駆動部３４から供給された駆動信号によって駆動される。
【００４１】
また、前述の開閉検知部４４はＣＰＵ４０に接続されており、ＣＰＵ４０は、開閉検知部４４を構成するスイッチのオン・オフ状態を検知することができる結果、第１筐体６０と第２筐体６２が閉状態となっているか否かを常時把握することができる。
【００４２】
なお、本実施の形態に係るデジタルカメラ１０では、部品点数を極力抑えるため、開閉検知部４４を単一のスイッチにて構成し、当該スイッチがオン状態となっている場合に閉状態となっているものと判断し、オフ状態となっている場合に開状態となっているものと判断しているが、開状態となったことを検知するスイッチを開閉検知部４４として更に設けてＣＰＵ４０に接続し、ＣＰＵ４０により、当該スイッチのオン・オフ状態も検知することにより、閉状態となっているか否かと開状態となっているか否かを、双方とも高精度に判断することができるようにすることもできる。
【００４３】
更に、前述のレリーズスイッチ５６Ａ、電源スイッチ、モード切換スイッチ、メニュースイッチ等の各種スイッチ（同図では、「操作部５６」と総称。）はＣＰＵ４０に接続されており、ＣＰＵ４０は、これらの操作部５６に対する操作状態も常時把握できる。
【００４４】
次に、本実施の形態に係るデジタルカメラ１０の撮影時における全体的な動作について簡単に説明する。
【００４５】
まず、ＣＣＤ２４は、光学ユニット２２を介した撮像を行い、被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００４６】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦メモリ４８の所定領域に直接格納する。
【００４７】
メモリ４８の所定領域に格納されたデジタル画像データは、ＣＰＵ４０による制御に応じてデジタル信号処理部３０により読み出され、所定の物理量に応じたＲ，Ｇ，Ｂ毎のデジタルゲインをかけることでホワイトバランス調整を行うと共に、ガンマ処理及びシャープネス処理を行って８ビットのデジタル画像データを生成する。
【００４８】
そして、デジタル信号処理部３０は、生成した８ビットのデジタル画像データに対しＹＣ信号処理を施して輝度信号Ｙとクロマ信号Ｃｒ、Ｃｂ（以下、「ＹＣ信号」という。）を生成し、ＹＣ信号をメモリ４８の上記所定領域とは異なる領域に格納する。
【００４９】
なお、ＬＣＤ３８Ａは、ＣＣＤ２４による連続的な撮像によって得られた動画像（スルー画像）を表示してファインダとして使用することができるものとして構成されており、ＬＣＤ３８Ａをファインダとして使用する場合には、生成したＹＣ信号を、ＬＣＤインタフェース３６を介して順次ＬＣＤ３８Ａに出力する。これによってＬＣＤ３８Ａにスルー画像が表示されることになる。
【００５０】
ここで、レリーズスイッチ５６Ａがユーザによって半押し状態とされたタイミングで前述のようにＡＥ機能が働いて露出状態が設定された後、ＡＦ機能が働いて合焦制御され、その後、引き続き全押し状態とされたタイミングで、その時点でメモリ４８に格納されているＹＣ信号を、圧縮・伸張処理回路５４によって所定の圧縮形式（本実施の形態では、ＪＰＥＧ形式）で圧縮した後に外部メモリインタフェース５０を介してメモリカード５２に電子化ファイル（画像ファイル）として記録する。
【００５１】
ところで、本実施の形態に係るデジタルカメラ１０には、第１筐体６０と第２筐体６２の開閉状態に応じて動作モードを自動的に切り換える動作モード切換機能が搭載されており、当該機能はメニュースイッチを押圧操作することによってＬＣＤ３８Ａに表示されるメニュー画面上で実行を指示することができる。
【００５２】
次に、図３を参照して、動作モード切換機能を実行する際のデジタルカメラ１０の作用を説明する。なお、図３は、動作モード切換機能の実行が指示された状態下で開閉検知部４４のオン・オフ状態が切り換わった際にデジタルカメラ１０のＣＰＵ４０によって実行される画像表示処理プログラムの処理の流れを示すフローチャートであり、当該プログラムはメモリ４８の所定領域に予め記憶されている。
【００５３】
まず、ステップ１００では、開閉検知部４４がオン状態からオフ状態に切り換わったか否かを判定し、肯定判定となった場合は第１筐体６０と第２筐体６２が開状態に移行したものと見なしてステップ１０２に移行する。
【００５４】
ステップ１０２では、動作モードを再生モードに移行させ、次のステップ１０４にて、ＬＣＤ３８Ａ及びＬＣＤ３８Ｂの双方に駆動用の電力を供給するように不図示の電力供給部を制御し、次のステップ１０６にて、それ以降、再生すべき画像がＬＣＤ３８Ａ及びＬＣＤ３８Ｂの双方の表示面に跨って表示されるように当該画像を拡大して表示するように設定し、その後に本画像表示処理プログラムを終了する。なお、本実施の形態に係る画像表示処理プログラムでは、上記ステップ１０６の処理による設定を、表示画像を拡大して表示するか否かを示すフラグを、拡大して表示することを示す状態に設定することにより行っているが、これに限るものでないことは言うまでもない。
【００５５】
一方、上記ステップ１００において否定判定となった場合は、開閉検知部４４がオフ状態からオン状態に切り換わって第１筐体６０と第２筐体６２が閉状態に移行したものと見なしてステップ１０８に移行し、動作モードを撮影モードに移行させた後、次のステップ１１０にて、ＬＣＤに対する駆動用の電力の供給として、デジタルカメラ１０の背面側に位置されるＬＣＤ３８Ａのみに当該電力を供給するように不図示の電力供給部を制御し、次のステップ１１２にて、それ以降、スルー画像がＬＣＤ３８Ａのみの表示面に拡大することなく表示されるように設定し、その後に本画像表示処理プログラムを終了する。なお、本実施の形態に係る画像表示処理プログラムでは、上記ステップ１１２の処理による設定を、上記フラグを、拡大せずに表示することを示す状態に設定することにより行っているが、これに限るものでないことは言うまでもない。
【００５６】
なお、ＣＰＵ４０は、ＬＣＤによって画像を表示する際には上記フラグを参照し、当該フラグが拡大して表示することを示す状態となっている場合は表示画像がＬＣＤ３８Ａ及びＬＣＤ３８Ｂの双方の表示面に跨って表示されるように当該画像を拡大して表示するように制御し、当該フラグが拡大せずに表示することを示す状態となっている場合には表示画像がＬＣＤ３８Ａのみの表示面に拡大することなく表示されるように制御する。
【００５７】
図４には、以上の画像表示処理プログラムの実行に応じたＬＣＤによる画像の表示状態例が示されている。なお、図４（Ａ）は、上記フラグが拡大せずに表示することを示す状態に設定されている場合の表示状態例を示すものであり、図４（Ｂ）は、上記フラグが拡大して表示することを示す状態に設定されている場合の表示状態例を示すものである。
【００５８】
図４（Ａ）に示すように、上記フラグが拡大せずに表示することを示す状態に設定されている場合は撮影モードに自動的に移行されている場合であり、スルー画像がＬＣＤ３８Ａのみによって拡大されることなく表示される。
【００５９】
これに対し、図４（Ｂ）に示すように、上記フラグが拡大して表示することを示す状態となっている場合は再生モードに移行されている場合であり、再生画像がＬＣＤ３８Ａ及びＬＣＤ３８Ｂの双方の表示面に跨って表示されるように当該画像が拡大されて表示される。
【００６０】
以上詳細に説明したように、本実施の形態では、複数の表示手段（ここでは、ＬＣＤ３８Ａ及びＬＣＤ３８Ｂ）の少なくとも２つの表示面が同一の方向を向き、かつ露出される第１状態（ここでは、開状態）と前記複数の表示手段の各々の表示面が平行に重ね合わされる第２状態（ここでは、閉状態）の何れか一方の状態に切り換え可能とし、前記第１状態に切り換えられているときで画像を表示するときには、１つの画像が露出されている表示面の複数に跨って表示されるように当該画像を拡大して表示するように制御しているので、１つの画像を表示するための表示面積の大型化及び装置サイズの小型化を両立することができる。
【００６１】
また、本実施の形態では、前記第１状態と前記第２状態の何れか一方の状態に切り換える切換手段を、隣接する筐体（ここでは、第１筐体６０と第２筐体６２）の端部間に介在されたヒンジ（ここでは、ヒンジ６４）により構成しているので、当該手段を簡易に構成することができる。
【００６２】
また、本実施の形態では、前記切換手段による切り換え状態に応じて動作モードを切り換えているので、当該動作モードの切り換えを手動により行う場合に比較して、利便性を向上させることができる。
【００６３】
更に、本実施の形態では、前記切換手段によって前記第２状態に切り換えられているときで、かつ前記複数の表示手段の少なくとも１つの表示面が露出されているとき、露出されている表示面の１つ（ここでは、ＬＣＤ３８Ａの表示面）のみにより画像を表示するように制御しているので、複数の表示面により画像を表示する場合に比較して、消費電力を低減することができる。
【００６４】
［第２の実施の形態］
上記第１の実施の形態では、動作モード切換機能による切り換え対象とする動作モードとして、再生モード及び撮影モードを適用した場合について説明したが、本第２の実施の形態では、動作モード切換機能による切り換え対象とする動作モードとして、デジタルカメラ１０を通常の姿勢とした状態（レリーズスイッチ５６Ａが上面に位置される状態）で表示画像の上下方向が実際の上下方向に一致するように表示画像を表示する動作モード（以下、「縦表示モード」という。）と、デジタルカメラ１０をレンズ２１の光軸方向と直交する方向に９０°回転させた状態（レリーズスイッチ５６Ａが側面に位置される状態）で表示画像の上下方向が実際の上下方向に一致するように表示画像を表示する動作モード（以下、「横表示モード」という。）と、を適用した場合の形態例について説明する。なお、本第２の実施の形態に係るデジタルカメラ１０の構成は、上記第１の実施の形態に係るデジタルカメラ１０（図１、図２参照。）と同様であるので、ここでの説明は省略する。
【００６５】
以下、図５を参照して、動作モード切換機能を実行する際の本第２の実施の形態に係るデジタルカメラ１０の作用を説明する。なお、図５は、動作モード切換機能の実行が指示された状態下で撮影モードに設定されていると共に開閉検知部４４のオン・オフ状態が切り換わった際にデジタルカメラ１０のＣＰＵ４０によって実行される画像表示処理プログラムの処理の流れを示すフローチャートであり、当該プログラムはメモリ４８の所定領域に予め記憶されている。
【００６６】
まず、ステップ２００では、開閉検知部４４がオン状態からオフ状態に切り換わったか否かを判定し、肯定判定となった場合は第１筐体６０と第２筐体６２が開状態に移行したものと見なしてステップ２０２に移行する。
【００６７】
ステップ２０２では、撮影画像のアスペクト比が３：２となるように設定し、次のステップ２０４にて、ＬＣＤ３８Ａ及びＬＣＤ３８Ｂの双方に駆動用の電力を供給するように不図示の電力供給部を制御し、更に次のステップ２０６にて、それ以降、表示すべき画像がＬＣＤ３８Ａ及びＬＣＤ３８Ｂの双方の表示面に跨って表示されるように当該画像を拡大して表示するように設定し、その後に本画像表示処理プログラムを終了する。なお、本実施の形態に係る画像表示処理プログラムでは、上記ステップ２０６の処理による設定を、スルー画像を拡大して表示するか否かを示すフラグを、拡大して表示することを示す状態に設定することにより行っているが、これに限るものでないことは言うまでもない。
【００６８】
以上のステップ２０２〜ステップ２０６の処理により、縦表示モードが設定されることになる。
【００６９】
一方、上記ステップ２００において否定判定となった場合は、開閉検知部４４がオフ状態からオン状態に切り換わって第１筐体６０と第２筐体６２が閉状態に移行したものと見なしてステップ２０８に移行し、撮影画像のアスペクト比が４：３となるように設定した後、次のステップ２１０にて、ＬＣＤに対する駆動用の電力の供給として、デジタルカメラ１０の背面側に位置されるＬＣＤ３８Ａのみに当該電力を供給するように不図示の電力供給部を制御し、次のステップ２１２にて、それ以降、スルー画像がＬＣＤ３８Ａのみの表示面に拡大することなく表示されるように設定し、その後に本画像表示処理プログラムを終了する。なお、本実施の形態に係る画像表示処理プログラムでは、上記ステップ２１２の処理による設定を、上記フラグを、拡大せずに表示することを示す状態に設定することにより行っているが、これに限るものでないことは言うまでもない。
【００７０】
以上のステップ２０８〜ステップ２１２の処理により、横表示モードが設定されることになる。
【００７１】
なお、ＣＰＵ４０は、ＬＣＤによってスルー画像を表示する際には上記フラグを参照し、当該フラグが拡大して表示することを示す状態となっている場合はスルー画像がＬＣＤ３８Ａ及びＬＣＤ３８Ｂの双方の表示面に跨って表示されるように当該画像を拡大して表示するように制御し、当該フラグが拡大せずに表示することを示す状態となっている場合にはスルー画像がＬＣＤ３８Ａのみの表示面に拡大することなく表示されるように制御する。
【００７２】
従って、デジタルカメラ１０のユーザは、撮影モードが設定されている状態下で、第１筐体６０と第２筐体６２を開状態として撮影を行う際には、一例として図６に示すように、デジタルカメラ１０を所定方向（ここでは、右方向）に９０°回転させた状態で使用する。
【００７３】
これにより、一例として図７に示すように、第１筐体６０と第２筐体６２が開状態とされた状態で撮影を行う際には、スルー画像がＬＣＤ３８Ａ及びＬＣＤ３８Ｂに跨った状態で拡大されて表示されることになる。なお、第１筐体６０と第２筐体６２が閉状態とされた状態で撮影を行う際のＬＣＤ３８Ａによって表示されるスルー画像は、一例として図４（Ａ）に示したようなものとなる。
【００７４】
本実施の形態でも、上記第１の実施の形態と同様の効果を奏することができる。
【００７５】
［第３の実施の形態］
上記第１の実施の形態では、第１筐体６０と第２筐体６２が閉状態に移行した際にＬＣＤ３８Ａのみによってスルー画像を表示する場合の形態例について説明したが、本第３の実施の形態では、閉状態に移行した際にＬＣＤ３８Ａ及びＬＣＤ３８Ｂの双方によって同一のスルー画像を表示する場合の形態例について説明する。なお、本第３の実施の形態に係るデジタルカメラ１０の構成は、上記第１の実施の形態に係るデジタルカメラ１０（図１、図２参照。）と同様であるので、ここでの説明は省略する。
【００７６】
以下、図８を参照して、動作モード切換機能を実行する際の本第３の実施の形態に係るデジタルカメラ１０の作用を説明する。なお、図８は、動作モード切換機能の実行が指示された状態下で開閉検知部４４のオン・オフ状態が切り換わった際にデジタルカメラ１０のＣＰＵ４０によって実行される画像表示処理プログラムの処理の流れを示すフローチャートであり、当該プログラムはメモリ４８の所定領域に予め記憶されている。また、図８の図３と同一の処理を行うステップには図３と同一のステップ番号を付して、その説明を省略する。
【００７７】
同図のステップ１１０’では、ＬＣＤ３８Ａ及びＬＣＤ３８Ｂの双方に駆動用の電力を供給するように不図示の電力供給部を制御し、次のステップ１１２’にて、それ以降、同一のスルー画像がＬＣＤ３８Ａ及びＬＣＤ３８Ｂの双方の表示面に拡大することなく表示されるように設定し、その後に本画像表示処理プログラムを終了する。なお、本実施の形態に係る画像表示処理プログラムでは、上記ステップ１１２’の処理による設定を、表示画像を拡大して表示するか否かを示すフラグを、拡大せずに表示することを示す状態に設定することにより行っているが、これに限るものでないことは言うまでもない。
【００７８】
なお、ＣＰＵ４０は、ＬＣＤによって画像を表示する際には上記フラグを参照し、当該フラグが拡大して表示することを示す状態となっている場合は上記第１の実施の形態と同様に表示画像がＬＣＤ３８Ａ及びＬＣＤ３８Ｂの双方の表示面に跨って表示されるように当該画像を拡大して表示するように制御し、当該フラグが拡大せずに表示することを示す状態となっている場合には同一のスルー画像がＬＣＤ３８Ａ及びＬＣＤ３８Ｂの双方の表示面に拡大することなく表示されるように制御する。
【００７９】
本実施の形態では、上記第１の実施の形態と同様の効果を奏することができると共に、前記切換手段によって前記第２状態に切り換えられているときで、かつ前記複数の表示手段における少なくとも２つの表示面（ここでは、ＬＣＤ３８Ａ及びＬＣＤ３８Ｂの各々の表示面）が互いに反対方向を向くように露出されているとき、当該露出されている表示面により同一の画像を表示するように制御しているので、撮影者と被撮影者の双方で撮影画像（撮影画角）を確認することができ、利便性を向上させることができる。
【００８０】
なお、上記各実施の形態では、本発明の複数の表示手段として２つのＬＣＤ３８Ａ及びＬＣＤ３８Ｂを適用した場合について説明したが、本発明はこれに限定されるものではなく、例えば、本発明の複数の表示手段として３つ以上の表示手段を適用する形態とすることもできることは言うまでもない。
【００８１】
図９には、本発明の複数の表示手段として、ＬＣＤ３８Ａ、ＬＣＤ３８Ｂ、ＬＣＤ３８Ｃの３つのＬＣＤを適用した場合のデジタルカメラの構成例が示されている。なお、同図では、レンズ、各種スイッチ類等の図示を省略している。
【００８２】
すなわち、同図に示すように、このデジタルカメラは、３つのＬＣＤ３８Ａ、ＬＣＤ３８Ｂ、及びＬＣＤ３８Ｃが備えられている。ＬＣＤ３８Ａは第１筐体６６Ａの表面に配設されており、ＬＣＤ３８Ｂは第２筐体６６Ｂの表面に配設されており、ＬＣＤ３８Ｃは第３筐体６６Ｃの表面に配設されている。
【００８３】
ここで、第１筐体６６Ａと第２筐体６６Ｂの端部間にはヒンジ６４Ａが介在されており、第１筐体６６Ａと第２筐体６６Ｂは、ヒンジ６４Ａの軸心を回転中心として、第１筐体６６Ａと第２筐体６６Ｂの裏面同士が対向する状態（図示省略。以下では「閉状態」という。）と、第１筐体６６Ａと第２筐体６６Ｂがヒンジ６４Ａの軸心を中心として平面状に並ぶ状態（図９に示される状態であり、以下では「開状態」という。）との２つの状態の間で回動可能とされている。
【００８４】
同様に、第１筐体６６Ａと第３筐体６６Ｃの端部間にはヒンジ６４Ｂが介在されており、第１筐体６６Ａと第３筐体６６Ｃは、ヒンジ６４Ｂの軸心を回転中心として、第１筐体６６Ａと第３筐体６６Ｃの裏面同士が対向する状態（図示省略。以下では「閉状態」という。）と、第１筐体６６Ａと第３筐体６６Ｃがヒンジ６４Ｂの軸心を中心として平面状に並ぶ状態（図９に示される状態であり、以下では「開状態」という。）との２つの状態の間で回動可能とされている。
【００８５】
なお、この場合、第１筐体６６Ａと第２筐体６６Ｂ、及び第１筐体６６Ａと第３筐体６６Ｃが双方とも開状態となっているときには、必ずしも表示画像をＬＣＤ３８Ａ〜ＬＣＤ３８Ｃの全ての表示面に跨らせる必要はなく、ＬＣＤ３８ＡとＬＣＤ３８Ｂの２つの表示面、及びＬＣＤ３８ＡとＬＣＤ３８Ｃの２つの表示面の少なくとも一方に跨らせるように拡大表示することによって本発明の効果を得ることができる。
【００８６】
一方、図１０には、本発明の複数の表示手段として、ＬＣＤ３８Ａ、ＬＣＤ３８Ｂ、ＬＣＤ３８Ｃ、ＬＣＤ３８Ｄの４つのＬＣＤを適用した場合のデジタルカメラの構成例が示されている。なお、同図では当該デジタルカメラの上面図が示されている。また、同図でも、レンズ、各種スイッチ類等の図示を省略している。
【００８７】
すなわち、図１０（Ｂ）に示すように、このデジタルカメラは、４つのＬＣＤ３８Ａ、ＬＣＤ３８Ｂ、ＬＣＤ３８Ｃ、及びＬＣＤ３８Ｄが備えられている。ＬＣＤ３８Ａは第１筐体６６Ａの表面に配設されており、ＬＣＤ３８Ｂは第２筐体６６Ｂの表面に配設されており、ＬＣＤ３８Ｃは第３筐体６６Ｃの表面に配設されており、ＬＣＤ３８Ｄは第４筐体６６Ｄの表面に配設されている。
【００８８】
ここで、第１筐体６６Ａと第２筐体６６Ｂの端部間にはヒンジ６４Ａが介在されており、第１筐体６６Ａと第２筐体６６Ｂは、ヒンジ６４Ａの軸心を回転中心として、第１筐体６６Ａと第２筐体６６Ｂの裏面同士が対向する状態（図１０（Ａ）に示される状態であり、以下では「閉状態」という。）と、第１筐体６６Ａと第２筐体６６Ｂがヒンジ６４Ａの軸心を中心として平面状に並ぶ状態（図１０（Ｂ）に示される状態であり、以下では「開状態」という。）との２つの状態の間で回動可能とされている。
【００８９】
同様に、第２筐体６６Ｂと第３筐体６６Ｃの端部間にはヒンジ６４Ｂが介在されており、第２筐体６６Ｂと第３筐体６６Ｃは、ヒンジ６４Ｂの軸心を回転中心として、第２筐体６６Ｂと第３筐体６６Ｃの表面同士が対向する状態（図１０（Ａ）に示される状態であり、以下では「閉状態」という。）と、第２筐体６６Ｂと第３筐体６６Ｃがヒンジ６４Ｂの軸心を中心として平面状に並ぶ状態（図１０（Ｂ）に示される状態であり、以下では「開状態」という。）との２つの状態の間で回動可能とされている。
【００９０】
更に、第３筐体６６Ｃと第４筐体６６Ｄの端部間にはヒンジ６４Ｃが介在されており、第３筐体６６Ｃと第４筐体６６Ｄは、ヒンジ６４Ｃの軸心を回転中心として、第３筐体６６Ｃと第４筐体６６Ｄの裏面同士が対向する状態（図１０（Ａ）に示される状態であり、以下では「閉状態」という。）と、第３筐体６６Ｃと第４筐体６６Ｄがヒンジ６４Ｃの軸心を中心として平面状に並ぶ状態（図１０（Ｂ）に示される状態であり、以下では「開状態」という。）との２つの状態の間で回動可能とされている。
【００９１】
なお、この場合も、全ての筐体が開状態となっているときには、必ずしも表示画像をＬＣＤ３８Ａ〜ＬＣＤ３８Ｄの全ての表示面に跨らせる必要はなく、ＬＣＤ３８ＡとＬＣＤ３８Ｂの２つの表示面、ＬＣＤ３８ＢとＬＣＤ３８Ｃの２つの表示面、及びＬＣＤ３８ＣとＬＣＤ３８Ｄの２つの表示面の少なくとも一組に跨らせるように拡大表示することによって本発明の効果を得ることができる。
【００９２】
また、図１１には、本発明の複数の表示手段として、ＬＣＤ３８Ａ〜ＬＣＤ３８Ｄの４つのＬＣＤを適用した場合のデジタルカメラの他の構成例が示されている。なお、同図でも、レンズ、各種スイッチ類等の図示を省略している。
【００９３】
すなわち、同図に示すように、このデジタルカメラは、４つのＬＣＤ３８Ａ、ＬＣＤ３８Ｂ、ＬＣＤ３８Ｃ、及びＬＣＤ３８Ｄが備えられている。ＬＣＤ３８Ａは第１筐体６６Ａの表面に配設されており、ＬＣＤ３８Ｂは第２筐体６６Ｂの表面に配設されており、ＬＣＤ３８Ｃは第３筐体６６Ｃの表面に配設されており、ＬＣＤ３８Ｄは第４筐体６６Ｄの表面に配設されている。
【００９４】
ここで、第１筐体６６Ａと第２筐体６６Ｂの端部間にはヒンジ６４Ａが介在されており、第１筐体６６Ａと第２筐体６６Ｂは、ヒンジ６４Ａの軸心を回転中心として、第１筐体６６Ａと第２筐体６６Ｂの裏面同士が対向する状態（図示省略。以下では「閉状態」という。）と、第１筐体６６Ａと第２筐体６６Ｂがヒンジ６４Ａの軸心を中心として平面状に並ぶ状態（図１１に示される状態であり、以下では「開状態」という。）との２つの状態の間で回動可能とされている。
【００９５】
同様に、第２筐体６６Ｂと第３筐体６６Ｃの端部間にはヒンジ６４Ｂが介在されており、第２筐体６６Ｂと第３筐体６６Ｃは、ヒンジ６４Ｂの軸心を回転中心として、第２筐体６６Ｂと第３筐体６６Ｃの表面同士が対向する状態（図示省略。以下では「閉状態」という。）と、第２筐体６６Ｂと第３筐体６６Ｃがヒンジ６４Ｂの軸心を中心として平面状に並ぶ状態（図１１に示される状態であり、以下では「開状態」という。）との２つの状態の間で回動可能とされている。
【００９６】
更に、第３筐体６６Ｃと第４筐体６６Ｄの端部間にはヒンジ６４Ｃが介在されており、第３筐体６６Ｃと第４筐体６６Ｄは、ヒンジ６４Ｃの軸心を回転中心として、第３筐体６６Ｃと第４筐体６６Ｄの裏面同士が対向する状態（図示省略。以下では「閉状態」という。）と、第３筐体６６Ｃと第４筐体６６Ｄがヒンジ６４Ｃの軸心を中心として平面状に並ぶ状態（図１１に示される状態であり、以下では「開状態」という。）との２つの状態の間で回動可能とされている。
【００９７】
なお、この場合の図１０に示したものとの相違点は、全ての筐体が開状態とされている場合において、図１０に示したものが、各ＬＣＤ３８Ａ〜ＬＣＤ３８Ｄが直線状に並ぶものとされているのに対して、図１１に示したものが、各ＬＣＤ３８Ａ〜ＬＣＤ３８Ｄが矩形状に並ぶものとされている点である。
【００９８】
この場合も、全ての筐体が開状態となっているときには、必ずしも表示画像をＬＣＤ３８Ａ〜ＬＣＤ３８Ｄの全ての表示面に跨らせる必要はなく、ＬＣＤ３８ＡとＬＣＤ３８Ｂの２つの表示面、ＬＣＤ３８ＢとＬＣＤ３８Ｃの２つの表示面、ＬＣＤ３８ＣとＬＣＤ３８Ｄの２つの表示面、及びＬＣＤ３８ＡとＬＣＤ３８Ｄの２つの表示面の少なくとも一組に跨らせるように拡大表示することによって本発明の効果を得ることができる。
【００９９】
また、上記各実施の形態では、本発明の第１状態（閉状態）及び第２状態（開状態）を切り換える手段としてヒンジを適用した場合について説明したが、本発明はこれに限定されるものではなく、例えば、当該手段としてスライド機構を適用する形態とすることもできる。
【０１００】
図１２には、ヒンジ及びスライド機構を併用した場合のデジタルカメラの構成例及び第１状態から第２状態への移行時の状態推移例が示されている。
【０１０１】
すなわち、同図に示すように、このデジタルカメラは、３つのＬＣＤ３８Ａ、ＬＣＤ３８Ｂ、及びＬＣＤ３８Ｃが備えられている。ＬＣＤ３８Ａは第１筐体６６Ａの表面に配設されており、ＬＣＤ３８Ｂは第２筐体６６Ｂの表面に配設されており、ＬＣＤ３８Ｃは第３筐体６６Ｃの表面に配設されている。
【０１０２】
ここで、第１筐体６６Ａと第２筐体６６Ｂの端部間にはヒンジ６４Ａが介在されており、第１筐体６６Ａと第２筐体６６Ｂは、ヒンジ６４Ａの軸心を回転中心として、第１筐体６６Ａと第２筐体６６Ｂの表面同士が対向する状態（以下では「閉状態」という。）と、第１筐体６６Ａと第２筐体６６Ｂがヒンジ６４Ａの軸心を中心として略平面状に並ぶ状態（以下では「開状態」という。）との２つの状態の間で回動可能とされている。
【０１０３】
一方、第２筐体６６Ｂと第３筐体６６Ｃの間には、第３筐体６６Ｃを第２筐体６６Ｂに対して同図矢印Ｓ方向に移動可能とするスライド機構（図示省略。）が介在されており、第２筐体６６Ｂと第３筐体６６Ｃは、第２筐体６６Ｂの裏面と第３筐体６６Ｃの表面が対向する状態（以下では「閉状態」という。）と、第２筐体６６Ｂと第３筐体６６Ｃが略平面状に並ぶ状態（以下では「開状態」という。）との２つの状態の間でスライド移動可能とされている。
【０１０４】
なお、この場合も、全ての筐体が開状態となっているときには、必ずしも表示画像をＬＣＤ３８Ａ〜ＬＣＤ３８Ｃの全ての表示面に跨らせる必要はなく、ＬＣＤ３８ＡとＬＣＤ３８Ｂの２つの表示面、及びＬＣＤ３８ＢとＬＣＤ３８Ｃの２つの表示面の少なくとも一方に跨らせるように拡大表示することによって本発明の効果を得ることができる。
【０１０５】
その他、上記各実施の形態に係るデジタルカメラ１０の構成（図１，図２参照。）は一例であり、本発明の主旨を逸脱しない範囲内において適宜変更可能であることは言うまでもない。
【０１０６】
例えば、上記各実施の形態では、本発明の表示手段としてＬＣＤを適用した場合について説明したが、本発明はこれに限定されるものではなく、例えば、プラズマディスプレイ、有機ＥＬディスプレイ、ＣＲＴディスプレイ等の他のディスプレイを適用する形態とすることもできる。この場合も、上記各実施の形態と同様の効果を奏することができる。
【０１０７】
また、上記各実施の形態において説明した各画像表示処理プログラムの処理の流れ（図３、図５、図８参照。）も一例であり、本発明の主旨を逸脱しない範囲内において適宜変更可能であることは言うまでもない。
【０１０８】
また、上記各実施の形態において示した各種表示画面の表示状態（図４及び図７参照。）も一例であり、本発明の主旨を逸脱しない範囲内において適宜変更可能であることは言うまでもない。
【０１０９】
更に、上記各実施の形態では、本発明をデジタルカメラに適用した場合について説明したが、本発明は、ＰＤＡ、携帯電話機、パーソナル・コンピュータ等、画像表示部を有する情報機器であれば如何なるものにでも適用できることは言うまでもない。
【０１１０】
図１３には、本発明を携帯電話機に適用した場合の、当該携帯電話機７０の外観図の一例が示されている。
【０１１１】
同図に示すように、この携帯電話機７０には、把持部７２に対して各種スイッチ類が設けられた操作部７４が配設される一方、当該把持部７２の上面に対して図９に示したデジタルカメラと同様のものが配設されている。この場合も、上記各実施の形態と同様の効果を奏することができる。
【図面の簡単な説明】
【０１１２】
【図１】実施の形態に係るデジタルカメラの外観を示す外観図であり、（Ａ）は閉状態時の背面図であり、（Ｂ）は閉状態時の正面図であり、（Ｃ）は開状態時の背面図であり、（Ｄ）は開状態時の正面図である。
【図２】実施の形態に係るデジタルカメラの電気系の要部構成を示すブロック図である。
【図３】第１の実施の形態に係る画像表示処理プログラムの処理の流れを示すフローチャートである。
【図４】第１の実施の形態に係るデジタルカメラの表示画像の表示状態例を示す概略図である。
【図５】第２の実施の形態に係る画像表示処理プログラムの処理の流れを示すフローチャートである。
【図６】第２の実施の形態に係る横表示モード設定時におけるデジタルカメラ１０の使用状態（姿勢）の一例を示す外観図である。
【図７】第２の実施の形態に係るデジタルカメラの横表示モード設定時におけるスルー画像の表示状態例を示す概略図である。
【図８】第３の実施の形態に係る画像表示処理プログラムの処理の流れを示すフローチャートである。
【図９】実施の形態に係るデジタルカメラの変形例を示す外観図である。
【図１０】実施の形態に係るデジタルカメラの他の変形例を示す外観図である。
【図１１】実施の形態に係るデジタルカメラの他の変形例を示す外観図である。
【図１２】実施の形態に係るデジタルカメラの他の変形例を示す外観図である。
【図１３】本発明を携帯電話機に適用した場合の当該携帯電話機の外観例を示す外観図である。
【符号の説明】
【０１１３】
１０    デジタルカメラ
２４    ＣＣＤ（撮像手段）
３８Ａ，３８Ｂ，３８Ｃ，３８Ｄ    ＬＣＤ（表示手段）
４０    ＣＰＵ（表示制御手段，動作切換手段）
４８    メモリ
６０    第１筐体（筐体）
６２    第２筐体（筐体）
６４    ヒンジ（切換手段）
６４Ａ    ヒンジ（切換手段）
６４Ｂ    ヒンジ（切換手段）
６４Ｃ    ヒンジ（切換手段）
６６Ａ    第１筐体（筐体）
６６Ｂ    第２筐体（筐体）
６６Ｃ    第３筐体（筐体）
６６Ｄ    第４筐体（筐体）
【図１】
2007079157.tif 000003
【図２】
2007079157.tif 000004
【図３】
2007079157.tif 000005
【図４】
2007079157.tif 000006
【図５】
2007079157.tif 000007
【図６】
2007079157.tif 000008
【図７】
2007079157.tif 000009
【図８】
2007079157.tif 000010
【図９】
2007079157.tif 000011
【図１０】
2007079157.tif 000012
【図１１】
2007079157.tif 000013
【図１２】
2007079157.tif 000014
【図１３】
2007079157.tif 000015